(57)【要約】【課題】内容器内の液体を加熱部により沸騰状態まで加熱した直後に、電動ポンプを駆動し内容器内の液体を出湯する際、内容器出口や、電動ポンプの吸い込み口内、インペラ等に気泡が充満し出湯不可能状態になる事が課題であった。【解決手段】一部に加熱部を有した液体を貯めるための内容器と、内容器底部の内容器出口に接続され途中に電動ポンプを設けた出湯管路を有した電気湯沸かし器において、内容器内の内容器出口近傍に高さ方向に少なくとも加熱部表面以上の高さを有した堰を設けたことにより、沸騰直後に加熱部近傍で発生した気泡が内容器出口から出湯管路に入るのを防止し、電気湯沸かし器を沸騰直後でも安定して出湯可能とすることが可能となる。【選択図】　図１
2004097386.tif 000002
【特許請求の範囲】
【請求項１】
外装本体に内包され、一部に加熱部を有した液体を貯めるための内容器と、内容器底部の内容器出口に接続され途中に電動ポンプを設けた出湯管路を有した電気湯沸かし器において、内容器内の内容器出口近傍に、高さ方向に少なくとも加熱部表面以上の高さを有した堰を設けたことを特徴とする電気湯沸かし器。
【請求項２】
前記堰は、堰側壁に堰内部と堰外部を連通する開口部を有した請求項１記載の電気湯沸かし器。
【請求項３】
前記堰側壁の開口部は、堰側壁の加熱部に面した側と対抗した面に設けた請求項２記載の電気湯沸かし器。
【請求項４】
前記堰は、内容器と別体とし取り外し可能とした請求項３記載の電気湯沸かし器。
【請求項５】
前記堰は、フィルタと一体とした請求項４記載の電気湯沸かし器。
【請求項６】
前記堰は、内容器出口あるいは電動ポンプの吸い込み口に挿入し固定される構成とした請求項４、５記載の電気湯沸かし器。
【請求項７】
前記堰は、樹脂などの低熱伝導率材で構成した請求項４から６記載の電気湯沸かし器。
【請求項８】
前記堰を、電動ポンプの吸い込み口と一体に構成した請求項３記載の電気湯沸かし器。
【発明の詳細な説明】
【０００１】
【発明の属する技術分野】
本発明は、電気湯沸かし器の、電動ポンプの泡がみ現象防止に関するものである。
【０００２】
【従来の技術】
図４は従来例の電気湯沸かし器の構成を示す図である。従来の電気湯沸かし器は、外装本体に内包され、一部に加熱部を有した液体を貯めるための内容器と、内容器底部の内容器出口に接続され途中に電動ポンプを設けた出湯管路を有したものである。
【０００３】
【発明が解決しようとする課題】
しかしながら前記従来の構成では、内容器内の液体を加熱部により沸騰状態まで加熱した直後に、電動ポンプを駆動し内容器内の液体を出湯する際、内容器出口や、電動ポンプの吸い込み口内、インペラ等に気泡が充満し出湯不可能状態になることがある。
【０００４】
この気泡発生の一つの原因に、加熱部により加熱された内容器の加熱部近傍は、沸騰直後は、加熱部からの熱や余熱により沸騰状態が継続し水蒸気の気泡が発生している。出湯操作のため電動ポンプが駆動されることにより、内容器内の液体は気泡とともに内容器出口から出湯管路に入る。この水蒸気の泡は内容器出口や、吸い込み口内、ポンプケース内等に時間とともに充満するとともに、浮力、表面張力、吸い込み圧等のバランスや、インペラの遠心分離作用等により滞留する。
【０００５】
内容器出口や吸い込み口内に充満・滞留した泡は、出湯管路をふさぐ事になり出湯管路の圧損となる。一方、ポンプケース内に充満・滞留した泡は内部の圧損になると同時に、特に遠心式の電動ポンプでは媒体の密度低下による遠心力の低下となり、出湯性能は大幅に低下し出湯不可能となる。
【０００６】
本発明は、上記の従来の課題を解決するもので、内容器内の内容器出口近傍に高さ方向に少なくとも加熱部表面以上の高さを有した堰を設けたことにより、沸騰直後に加熱部近傍で発生した気泡が内容器出口から出湯管路に入るのを防止し、電気湯沸かし器を沸騰直後でも安定して出湯可能とすることを目的とする。
【０００７】
【課題を解決するための手段】
従来の課題を解決するために本発明の電気湯沸かし器は、一部に加熱部を有した液体を貯めるための内容器と、内容器底部の内容器出口に接続され途中に電動ポンプを設けた出湯管路を有した電気湯沸かし器において、内容器内の内容器出口近傍に高さ方向に少なくとも加熱部表面以上の高さを有した堰を設けたことにより、沸騰直後に加熱部近傍で発生した気泡が内容器出口から出湯管路に入るのを防止し、電気湯沸かし器を沸騰直後でも安定して出湯可能とすることを目的とする。
【０００８】
【発明の実施の形態】
請求項１記載の発明は、外装本体に内包され、一部に加熱部を有した液体を貯めるための内容器と、内容器底部の内容器出口に接続され途中に電動ポンプを設けた出湯管路を有した電気湯沸かし器において、内容器内の内容器出口近傍に、高さ方向に少なくとも加熱部表面以上の高さを有した堰を設けたことにより、沸騰直後に加熱部近傍で発生した気泡が内容器出口から出湯管路に入るのを防止し、電気湯沸かし器を沸騰直後でも安定して出湯可能とすることが可能となる。
【０００９】
請求項２記載の発明は、特に請求項１記載の前記堰は、堰側壁に堰内部と堰外部を連通する開口部を有した事により、堰の高さ以下の水位まで内容器内の液体を出湯可能となり残水の低減が可能となる。
【００１０】
請求項３に記載の発明は、特に請求項２記載の堰側壁の開口部を、堰側壁の加熱部に面した側と対抗した面に設けた事により、加熱部近傍で発生した気泡が開口部から内容器出口、出湯管路に入るのを防止し、電気湯沸かし器を沸騰直後でも安定して出湯可能とすることが可能となる。
【００１１】
請求項４に記載の発明は、特に、請求項１から３記載の前記堰を、内容器と別体とし、取り外し可能とした事により容易に製造及びメンテナンス性の向上がはかれる。
【００１２】
請求項５に記載の発明は、堰は、フィルタと一体とした事により、メンテナンス制の向上と、工数削減がはかれる。
【００１３】
請求項６に記載の発明は、堰は、内容器出口あるいは電動ポンプの吸い込み口に挿入し固定される構成とした事により、フィルタでの簡便な固定構成や、堰の内容器出口あるいは吸い込み口への挿入代により、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００１４】
請求項７に記載の発明は、堰は、樹脂などの低熱伝導率材で構成した事により、内容器に設けられた加熱部からの熱や余熱が、堰内部を通過する液体に伝導するのを押さえ、結果として堰内部を通過する液体の温度の上昇を抑えることにより沸騰あるいは再沸騰を防止することが可能となる。
【００１５】
請求項８に記載の発明は、堰を電動ポンプの吸い込み口と一体に構成した事により簡単な構成で実現が可能になる。
【００１６】
【実施例】
（実施例１）
図１（ａ）に示すように、外装本体１に内包され、一部に加熱部２を有した液体を貯めるための内容器３と、内容器底部４の内容器出口５に接続され途中に電動ポンプ６を設けた出湯管路７を有した電気湯沸かし器８において、図１（ｂ）に示すように、内容器３内の内容器出口５近傍に高さ方向に少なくとも加熱部表面以上の高さを有した堰９を設けた構成である。
【００１７】
以上の構成の動作を説明する。電気湯沸かし器８の内容器３の底部は沸騰直後、内容器３に設けられた加熱部２からの熱や余熱により高温となっていて沸騰状態の継続により水蒸気の気泡が発生し続けている。電動ポンプ６を駆動し出湯操作を行う際、沸騰直後に加熱部２近傍で発生した気泡は、内容器出口５から出湯管路７に直接入るのを堰９により妨げられ、浮力により内容器３の上方に向かうため、電動ポンプ６内に気泡が侵入しにくくなり、電気湯沸かし器８を沸騰直後でも安定して出湯可能とすることが可能となる。
【００１８】
また、前記堰９は、堰側壁１０に堰９内部と堰９外部を連通する開口部１１を有した事により、堰９の高さ以下の水位まで内容器３内の液体を出湯可能となりまた、開口部１１の位置や大きさにより侵入する気泡の大きさを規制することが可能となるため、電気湯沸かし器８を沸騰直後でも安定して出湯可能としながら残水の低減が可能となる。
【００１９】
更に、堰側壁１０の連通孔１１ａあるいはスリット１１ｂを、堰側壁１０の加熱部２に面した側と対抗した面に設けた事により、加熱部２近傍で発生した気泡が連通孔１１ａあるいはスリット１１ｂから内容器出口５、出湯管路７に入るのを防止し、電気湯沸かし器８を沸騰直後でも安定して出湯可能とすることが可能となる。
【００２０】
なお、前記堰９は、内容器３と別体とし、内容器３あるいは内容器出口５から取り外し可能とした事により、使用者が、内容器３の底部や堰９に堆積付着する水のスケールが容易に洗浄可能となり、メンテナンス性の向上と、気泡の発生源の一つであるスケールの低減がはかれる。
【００２１】
また、図２（ａ）に示すように、堰９は、フィルタ１２と一体とした事により、使用者が、内容器３の底部や堰９、フィルタ１２に堆積付着する水のスケールが容易に洗浄可能となり、メンテナンス性の向上と、気泡の発生源の一つであるスケールの低減がはかれる。
【００２２】
さらに、図２（ｂ）に示すように、堰９は、内容器出口５あるいは電動ポンプ６の吸い込み口１３に挿入し固定される構成とした事により、フィルタ１２での簡便な固定構成や、堰９の内容器出口５あるいは吸い込み口１３へのシール１４により、内容器３に設けられた加熱部２からの熱や余熱が、内容器出口５内部を通過する液体に伝導するのを押さえ、結果として内容器出口５内部を通過する液体の温度の上昇を抑えることにより再沸騰を防止することが可能となる。
【００２３】
また、堰９は、樹脂などの低熱伝導率材で構成した事により、内容器３に設けられた加熱部２からの熱や余熱が、堰９内部を通過する液体に伝導するのを押さえ、結果として堰９内部を通過する液体の温度の上昇を抑えることにより沸騰あるいは再沸騰を防止することが可能となる。
【００２４】
なお、図３に示すように、堰９を電動ポンプ６の吸い込み口１３と一体に構成した事により簡単な構成で実現することも可能である。
【００２５】
【発明の効果】
以上のように、本発明によれば、一部に加熱部を有した液体を貯めるための内容器と、内容器底部の内容器出口に接続され途中に電動ポンプを設けた出湯管路を有した電気湯沸かし器において、内容器内の内容器出口近傍に高さ５ｍｍ以上の堰を設けたことにより、沸騰直後に加熱部近傍で発生した気泡が内容器出口から出湯管路に入るのを防止し、電気湯沸かし器を沸騰直後でも安定して出湯可能とすることが可能となる。
【図面の簡単な説明】
【図１】（ａ）本発明の実施例１を示す電気湯沸かし器の側面断面図
（ｂ）同部分断面図
【図２】（ａ）本発明の実施例１を示す電気湯沸かし器の部分断面図
（ｂ）本発明の実施例１を示す電気湯沸かし器の部分断面図
【図３】本発明の実施例１を示す電気湯沸かし器の部分断面図
【図４】従来例を示す電気湯沸かし器の側面断面図
【符号の説明】
１　外装本体
２　加熱部
３　内容器
４　内容器底部
５　内容器出口
６　電動ポンプ
７　出湯管路
８　電気湯沸かし器
９　堰
１０　堰側壁
１１　開口部
１２　フィルタ
１３　吸い込み口
１４　シール
【図１】
2004097386.tif 000003
【図２】
2004097386.tif 000004
【図３】
2004097386.tif 000005
【図４】
2004097386.tif 000006